(57)【要約】  光電トランスジューサ（１２）は、少なくとも１つの光センサ（９）を一方の面上に有する基板（８）と、光センサ（９）を収容する凹部を決めるスペーサ（７）を有している。凹部は、少なくとも部分的にオプチカルグルー（１１）で充填されている。トランスジューサ（１２）を光ディスク溶の光ピックアップ内に取り付けるために、スペーサ（７）は、このピックアップのオプチカルボディ（１）に取り付けられている。
2007538347.tif 000002
【特許請求の範囲】
【請求項１】
硬質材料で、凹部を有するスペーサ（７）を設けるステップ、
光センサ（９）が前記凹部内に配置されるように、少なくとも１つの前記光センサ（９）を載置した基板（８）上に前記スペーサ（７）を取り付けるステップ、
前記凹部の少なくとも一部分をオプチカルグルー（１１）で充填するステップ、
前記オプチカルグルー（１１）を硬化するステップ
を有する光電トランスジューサの製造方法において、
凹部の幅は、硬化後、オプチカルグルー（１１）の表面が、少なくとも光センサ（９）の上側で平坦であるような大きさであることを特徴とする光電トランスジューサの製造方法。
【請求項２】
硬質材料の、凹部を有するスペーサ（７）を設け、光センサ（９）が前記凹部内に配置されるように、少なくとも１つの前記光センサ（９）を載置した基板（８）上に前記スペーサ（７）を取り付け、前記凹部の少なくとも一部分をオプチカルグルー（１１）で充填する光電トランスジューサにおいて、
凹部の幅は、硬化したオプチカルグルー（１１）の表面が、少なくとも光センサ（９）の上側で平坦であるような大きさであることを特徴とする光電トランスジューサ。
【請求項３】
光ディスクをリードするのに適した光ピックアップにおいて、
請求項２記載の光電トランスジューサと、
オプチカルグルー（１１）を介して、少なくとも１つの光線を光センサ（９）に伝送するための手段を有するオブチックボディ（１）を有しており、前記光電トランスジューサのスペーサ（７）が前記オブチックボディ（１）に固定されていることを特徴とする光ピックアップ。
【請求項４】
凹部を決めるスペーサ（７）の壁（１４）は、基板（８）に対して垂直である請求項３記載の光ピックアップ。
【請求項５】
少なくとも２つの光線、及び、各々前記光線を受光するように構成された、基板（８）上の少なくとも２つの光センサ（９ａ、９ｂ）が使用され、各光センサの各中心間の間隔（Ｅ３）は、オプチカルグルー（１１）の表面での相応の各光線（Ｒ１及びＲ２）間の間隔と同じ間隔（Ｆ３）である請求項４記載の光ピックアップ。
【請求項６】
スペーサ（７）及びオブチックボディ（１）は、同じ材料で製造されている請求項３から５迄の何れか１記載の光ピックアップ。
【発明の詳細な説明】
【技術分野】
【０００１】
本発明は、光ディスクをリードするのに適したデバイス、例えば、そのようなデバイス用の光電トランスジューサに関している。
【０００２】
光電トランスジューサにより、例えば、光線の強度を変えることによって、光の形でコーディングされた信号を、電子回路によって一層容易に使用することができる電気信号に変換することができる。そのようなトランスジューサは、一般に、光信号を電気信号に実際に変換する光センサを有している。
【０００３】
光電トランスジューサは、例えば、光ディスク・リードデバイスで使用されている。そのようなデバイスでは、光線は、実際に、回転する光ディスク上に刻まれたインスクリブションにより、変調された光線が、ディスク上に描かれた情報を示すように変調されている。光ディスク・リードデバイスの技術方式の背景情報が、米国特許第５８７２７４９号明細書に記載されている。
【０００４】
それから、変調された光線は、ディスクからデータをリードする（及び／又は、ディスクにデータをライトする）ように設計された光ピックアップの部分であるオプチカルボディが有する光学手段を介してトランスジューサの光センサに伝送される。この光学手段により、ビームの形状を正確にすることができ、特に、ビームを光センサ上にフォーカシングすることができるようになる。このようにして、光線の変調は、電気信号に変換され、従って、この電気信号は、それ自体、ディスク上に描かれた情報も示し、つまり、デバイスの電気回路によって処理することができる。
【０００５】
従って、光電トランスジューサの構成及び当該光電トランスジューサをオプチカルボディと結合するやり方が特に重要且つ取り扱いに注意を要するのである。
【０００６】
図１に示された第１の可能な構成によると、光センサは、透明体内にパッケージされており、この透明体は、それ自体、プレート４とコネクタによって拡張されているフレキシブルボード３とから構成されたパッケージ５内に封入されている。
【０００７】
プレート４は、光センサと反対側に開口を有しており、この開口により、光ピックアップ（図示していない）の部分であるオプチカルボディ１によって受光される光線を受け取ることができるようになる。
【０００８】
パッケージ５は、例えば、固着用接合剤（ｆａｓｔｅｎｉｎｇ  ｃｅｍｅｎｔ：セメント）２を用いて、プレート４をオプチカルボディ１に取り付けることにより、このオプチカルボディ１に容易に取り付けられる。
【０００９】
しかし、この手段のコストは、特に、パッケージ５の構成の複雑さのために比較的高い。
【００１０】
従って、廉価な手段が提案されており、この手段は、図２に示されている。このタイプの別の手段は、米国特許第５９６２８１０号明細書に記載されている。図２に示された手段によると、光センサは、フレキシブルボード３上に取り付けられたプリント回路基板８（又はＰＣＢ）上に収容されている。オプチカルグルーのビード１２は、センサを有する集積回路９の周囲に溶着されており、従って、センサを収容する空洞を定め、オプチカルグルー（接着剤）１１で充填されている。プリント回路基板８は、オプチカルボディ１に直接固定されている。
【００１１】
しかし、簡単な手段は、欠点を有している。
【００１２】
第１に、集積回路とオプチカルボディとの距離が同じ場合（図１のＡ１、図２のＡ２、Ａ１＝Ａ２）、図２のオプチカルボディ１とプリント回路基板８とを離隔する距離Ｄ２は、図１のオプチカルボディ１とプレート４とを離隔する距離Ｄ１よりも大きい（図２には、そのようなプレートがないために）。この大きな距離によって、図２では、大量の接合剤を使う必要があり、システムの機械的な安定性が低減されてしまい、トランスジューサをオプチカルボディ１に取り付ける際には、特に有害である。
【００１３】
第２に、プリント回路基板８及びオプチカルボディ１は、当該プリント回路基板８及びオプチカルボディ１の機能のために、異なった材料製であり、それにより、当該プリント回路基板８及びオプチカルボディ１を取り付けるのが、一層複雑且つ一般に脆弱となってしまう。
【００１４】
更に、オプチカルグルーのビード１２は、その付着の間、かなりの力で付着しないと、比較的不規則（ｉｒｒｅｇｕｌａｒ）となり、その断面形状は、その性質により丸くなる。従って、オプチカルグルー１１の外側表面は、平坦とはならず、その代わりに、状況に応じて、凸状又は凹状のメニスカス形状となる。
【００１５】
このことは、特に、トランスジューサが、各センサの間隔によって各光線の離隔距離Ｆ２が正確に決定されるが、非平坦なオプチカル接合剤（ｏｐｔｉｃａｌ  ｃｅｍｅｎｔ：セメント）の外側表面の外側表面を通過した後、各光線の経路がオプチカルグルー１１を通過する間（Ｅ２で）変わってしまうような、２つ（以上）の光線を受光する場合には特に問題が生じ、このことは図４から分かる。
【００１６】
最後に、特に、オプチカルグルーのビード１２を付着する際の不正確さのために、集積回路９をプリント回路基板８に接続する導体接続線１０が、通常の、オプチカルグルー１１による封入に加えて、オプチカルグルーのビード１２によって部分的に被覆されてしまうことがある。この場合、オプチカルグルー１１とオプチカルグルーのビード１２との異なった拡がりのために、温度変化毎に各導体接続線１０の１つが切断してしまう危険性がある（例えば、作動中と、作動していない時の間で）。
【００１７】
これらの問題点を解決するために特に、本発明は、光ディスクをリードする（読み出す）のに適したデバイスを提供するものであり、つまり、少なくとも１つの光線を伝送するための手段を有するオプチカルボディ、一方の面がオプチカルボディの方に向いていて、光線を受光するようにされた光センサを有する基板、前述の面に設けられていて、前述の面と共に、光センサを収容する空洞を決めるスペーサを有しており、空洞は、少なくとも部分的にオプチカルグルーで充填され、スペーサは、オプチカルボディに取り付けられているデバイスを提供する。
【００１８】
有利な実施例では、スペーサ及びオブチックボディは、同じ材料で製造されており、それにより、殊に、スペーサ及びオブチックボディの相対的な取付けを改善することができる。
【００１９】
本発明は、更に、一方の面上に光センサを有する基板、前述の面に設けられていて、前述の面と共に、光センサを収容する空洞を決めるスペーサを有しており、この空洞は、オプチカルグルーで少なくとも部分的に充填される。
【００２０】
有利には、空洞を決めるスペーサの壁の少なくとも１つが真っ直ぐであり、殊に、横断面が基板に対して垂直方向となる面内で真っ直ぐであり、特に、オプチカル接合剤の外側の表面が平坦となるようにされる。
【００２１】
同じ技術思想で、空洞を決めるスペーサの少なくとも１つの壁が、基板の面全般に対してほぼ垂直であるようにするとよい。
【００２２】
１つの可能な手段によると、特に、オプチカルグルーとの何らかの接触を回避するように、空洞が拡大された上部分を有している。
【００２３】
本発明は、硬質材料で、凹部を有するスペーサを設けるステップ、光センサが凹部内に配置されるように、少なくとも１つの光センサを載置した基板上にスペーサを取り付けるステップ、凹部の少なくとも一部分をオプチカルグルーで充填するステップを有する光電トランスジューサの製造方法を提案する。
【００２４】
本発明は、また、硬質材料で、凹部を有するスペーサを設けるステップ、光センサが凹部内に配置されるように、光センサを載置した基板上にスペーサを取り付けるステップ、凹部の少なくとも一部分をオプチカルグルーで充填するステップ、スペーサをデバイスのオプチカルボディに取り付けるステップを有する、光ディスクをリードするのに適したデバイス又は光ピックアップの製造方法を提案する。
【００２５】
本発明の他の特徴について、図示の実施例を用いて詳細に説明する。その際：
図１は、光ディスク・リードデバイス内の光電トランスジューサを製造し、及び、取り付けるための第１の公知解決手段を示す図、
図２は、光ディスク・リードデバイス内の光電トランスジューサを製造し、及び、取り付けるための第２の公知解決手段を示す図、
図３は、本発明の技術思想による光ディスク・リードデバイス内に製造し、及び、取り付けられた光電トランスジューサを示す図、
図４は、図２の詳細図、
図５は、図３の相応する詳細を示す図
である。
【００２６】
本発明にとって重要な部分が図３及び図５に示されているリードデバイスは、オブチックボディ１を有しており、オブチックボディ１は、図３に示されているように、光線Ｒ１，Ｒ２を、トランスジューサ１２の集積回路９に載置された２つの光センサ９ａ及び９ｂの方に正確に配向された光電トランスジューサ１２の方向に伝送する。オブチックボディ１の外側部分は、例えば、プラスチック製である。
【００２７】
各光線は、特殊な機能、例えば、光線Ｒ１の場合には、ＣＤスタンダードで光ディスクをリードする機能を有しており、光線Ｒ２の場合には、ＤＶＤスタンダードで光ディスクをリードする機能を有している。光線Ｒ１及びＲ２は、異なった波長、例えば、ＣＤスタンダード用の７８０μｍの波長を有しており、ＤＶＤスタンダード用の６３５μｍの波長を有している。
【００２８】
光電トランスジューサ１２は、プリント回路基板８（又は、ＰＣＢ）を有しており、このプリント回路基板の第１の主要面は、集積回路又はダイ９を有しており、第２の主要面は、フレキシブルボード３を有しており、このフレキシブルボード３は、トランスジューサ１２がリードデバイスの他の電子回路に接続されるように構成されたコネクタ（図示していない）として、プリント回路基板８を超えて延びているフレキシブルボード３を有している。
【００２９】
トランスジューサ１２がリードデバイスに取り付けられている場合、プリント回路基板８の第１の主要面は、オブチックボディ１の方に配向されている。
【００３０】
プリント回路基板８の第１の主要面は、中央部分が凹部に形成されているスペーサ７を有しており、従って、スペーサの第１の主要面は、オブチックボディ１の方に開けられた空洞を形成する。プリント回路基板８の第１の主要面に設けられている集積回路９は、従って、この空洞の内部に配置されている。凹部の幅は、集積回路９の接続線１０の全てが、凹部内に収容されるような幅であり、前述の接続線がスペーサ７と接触する危険性はない。
【００３１】
スペーサ７は、有利には、オブチックボディ１の外部部分と同じ材料製であり、例えば、同じプラスチック製である。有利には、スペーサ７は、硬質の分離部材として製造され、例えば、成型部材として製造されており、それから、このスペーサは、プリント回路基板８に固定される。従って、形状が決められた壁を有するようにしてもよい。
【００３２】
スペーサ７は、例えば、スナップ留めによってプリント回路基板８に固定するとよく、その際、必要ならば、不浸透性の接着剤６を用いてもよい。
【００３３】
当然、他の固定手段を用いてもよい。
【００３４】
有利には、スペーサ７の中央の凹部は、集積回路９を収容している第１の幅の下の部分と、第１の幅よりも大きな第２の幅の上の部分を有している。
【００３５】
空洞の少なくとも一部分、ここでは、中央凹部の下の部分は、使用されている光線に対して透過性のオプチカルグルー１１で充填されている。例えば、粘度の低いオプチカルグルーを使うとよく、そうすると、スペーサ７内の凹部に充填する際に、平坦な表面が容易に得られる。オプチカルグルー１１の硬化は、オプチカルグルーの性質に応じて、熱又は紫外線によって行ってもよい。有利には、集積回路９を囲む凹部の幅は、オプチカルグルー１１の平坦な表面を形成するのに有効に寄与するのに十分な大きさである。
【００３６】
有利には、スペーサ７によって形成される空洞の壁１４は真っ直ぐであり、有利には、プリント回路基板８の第１の主要な表面の面に対してほぼ垂直である。真っ直ぐな壁１４は、オプチカルグルー１１と、その最初の液状段階で相互作用し、その結果、オプチカルグルーの表面張力により、オプチカルグルーは、真っ直ぐな壁１４に沿って上昇して行き、その結果、少なくとも部分的に、オプチカルグルーは、硬化過程のために真っ直ぐな壁１４に沿って偏って縮む（ｃｏｎｔｒａｃｔｉｏｎ）。図５に明瞭に記載されているように、光線Ｒ１及びＲ２を受光するオプチカルグルー１１の上側の表面の、少なくとも有用な領域は平坦であり、プリント配線基板８の第１の主要な表面に対してほぼ並行であり、オブチックボディ１から受光される光線Ｒ１及びＲ２は、当該光線Ｒ１及びＲ２の経路が、この表面及びオプチカルグルー１１を通過する間、各々光センサ９ａ及び９ｂに位置ずれせずに入射するように、一定距離（Ｆ３＝Ｅ３、図５）を維持する。つまり、２つの光線Ｒ１及びＲ２を放射するレーザ源を使うと、光線Ｒ１及びＲ２は、別個に又は同時に光電トランスジューサ１２に達し、その際、光線Ｒ１及びＲ２は、正確に相応の各光センサ９ａ及び９ｂによって受光され、各光センサ９ａ及び９ｂは、相互に所定の距離を置いたところに取り付けられている。逆に、図４に示されている手段によると、光線と当該光線の各々の光センサとの間の位置ずれを回避することができないということは起こらなくなる。
【００３７】
スペーサ７の中央の凹部の上部分１３により、特に、トランスジューサ１２をオブチックボディ１上に取り付ける場合に、オプチカルグルー１１の上面との何らかの接触（表面の質を劣化させてしまう）が生じないようにすることができる。
【００３８】
光電トランスジューサ１２は、図３に記載されているように、例えば、固着用接合剤（ｆａｓｔｅｎｉｎｇ  ａｄｈｅｓｉｖｅ）２を用いて、主にスペーサ７で、オブチックボディ１に取り付けられている。同じ材料をスペーサ７及び当該スペーサ７を収容するオブチックボディ１の外側部分に有利に使用することによって、取り付けが、特に迅速、正確且つローブストになる。
【００３９】
更に、集積回路９とオブチックボディ１との距離が同じ場合（図２のＡ２及び図３のＡ３、Ａ２＝Ａ３）、スペーサ７とオブチックボディ１との間の距離Ｄ３は、図２に示された手段と比較して短く、従って、図１に示された手段では、パッケージ５とオブチックボディ１との間の距離Ｄ１のオーダーでよく、それにより、精度を一層よくすることができ、機械的に欠陥がないようにすることができる。
【００４０】
しかも、真っ直ぐな壁のスペーサ７内の中央に凹部を形成して、このスペーサを正確に取り付ける（図２及び図３に示されたビードと逆の位置で）ことにより、中央の凹部を、導体接続線１０に対して正確に位置決めすることができるようになり、それにより、上述のように、導体接続線１０が切断されるリスクを回避する効果を有している。
【図面の簡単な説明】
【００４１】
【図１】光ディスク・リードデバイス内の光電トランスジューサを製造し、及び、取り付けるための第１の公知解決手段を示す図
【図２】光ディスク・リードデバイス内の光電トランスジューサを製造し、及び、取り付けるための第２の公知解決手段を示す図
【図３】本発明の技術思想による光ディスク・リードデバイス内に製造し、及び、取り付けられた光電トランスジューサを示す図
【図４】図２の詳細図
【図５】図３の相応する詳細を示す図
【図１】
2007538347.tif 000003
【図２】
2007538347.tif 000004
【図３】
2007538347.tif 000005
【図４】
2007538347.tif 000006
【図５】
2007538347.tif 000007
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
硬質材料で、凹部を有するスペーサ（７）を設けるステップ、
光センサ（９）が前記凹部内に配置されるように、少なくとも１つの前記光センサ（９）を載置した基板（８）上に前記スペーサ（７）を取り付けるステップ、
前記凹部の少なくとも一部分をオプチカルグルー（１１）で充填するステップ、
前記オプチカルグルー（１１）を硬化するステップ
を有する光電トランスジューサの製造方法において、
凹部の幅は、硬化後、オプチカルグルー（１１）の表面が、少なくとも光センサ（９）の上側で平坦であるような大きさであることを特徴とする光電トランスジューサの製造方法。
【請求項２】
硬質材料の、凹部を有するスペーサ（７）を設け、光センサ（９）が前記凹部内に配置されるように、少なくとも１つの前記光センサ（９）を載置した基板（８）上に前記スペーサ（７）を取り付け、前記凹部の少なくとも一部分をオプチカルグルー（１１）で充填する光電トランスジューサにおいて、
凹部の幅は、硬化したオプチカルグルー（１１）の表面が、少なくとも光センサ（９）の上側で平坦であるような大きさであることを特徴とする光電トランスジューサ。
【請求項３】
光ディスクをリードするのに適した光ピックアップにおいて、
請求項２記載の光電トランスジューサと、
オプチカルグルー（１１）を介して、少なくとも１つの光線を光センサ（９）に伝送するための手段を有するオプチックボディ（１）を有しており、前記光電トランスジューサのスペーサ（７）が前記オプチックボディ（１）に固定されていることを特徴とする光ピックアップ。
【請求項４】
凹部を決めるスペーサ（７）の壁（１４）は、基板（８）に対して垂直である請求項３記載の光ピックアップ。
【請求項５】
少なくとも２つの光線、及び、各々前記光線を受光するように構成された、基板（８）上の少なくとも２つの光センサ（９ａ、９ｂ）が使用され、各光センサの各中心間の間隔（Ｅ３）は、オプチカルグルー（１１）の表面での相応の各光線（Ｒ１及びＲ２）間の間隔と同じ間隔（Ｆ３）である請求項４記載の光ピックアップ。
【請求項６】
スペーサ（７）及びオプチックボディ（１）は、同じ材料で製造されている請求項３から５迄の何れか１記載の光ピックアップ。
【国際調査報告】
2007538347.tif 000008
2007538347.tif 000009
2007538347.tif 000010